(57)【要約】【課題】  紙容器において、容器本体の開口部への封緘紙の接着性を向上すること。【解決手段】  容器本体１１の開口部１１Ｅを封緘紙１３で密封した紙容器１０であって、容器本体１１の外周のうち、開口部１１Ｅの側の外周の全周をニス非付与部２２とし、封緘紙１３の周縁を上記ニス非付与部２２に接着したもの。【選択図】  図２
2005263234.tif 000002
【特許請求の範囲】
【請求項１】
容器本体の開口部を封緘紙で密封した紙容器であって、
容器本体の外周のうち、開口部の側の外周の全周をニスが付与されないニス非付与部とし、封緘紙の周縁を前記開口部又は／及び前記ニス非付与部に接着した紙容器。
【請求項２】
前記ニス非付与部が、印刷及びニスを付与されない請求項１に記載の紙容器。
【請求項３】
前記容器本体の開口部の側の縁部に、外側から設けた半切り線を介して折返し片を連設し、該折返し片を容器本体の内側に折返し、前記封緘紙を容器本体と折返し片の上端部にも接着してなる請求項１又は２に記載の紙容器。
【発明の詳細な説明】
【技術分野】
【０００１】
本発明は粉体洗剤用紙容器等に用いて好適な紙容器に関する。
【背景技術】
【０００２】
粉体洗剤用紙容器として、特許文献１に記載の如く、内容物の粉体洗剤を流通保管段階で密封するため、容器本体の開口部を封緘紙で密封するものがある。封緘紙は、容器本体の開口部の側の外周の全周に接着される。
【特許文献１】特開2001-315767
【発明の開示】
【発明が解決しようとする課題】
【０００３】
粉体洗剤用紙容器では、一般に、容器本体の外周に印刷を施し、更には、この印刷に光沢や艶消し等のデザイン性を付与したり、この印刷の表面に耐磨耗性を付与するための表面加工として、印刷表面に無色透明又は半透明のニスを施す。
【０００４】
従来の粉体洗剤用紙容器では、特許文献１に記載の如くの封緘紙が接着される容器本体の開口部の側の外周にまで上述の印刷及びニスが付与されており、この印刷及びニスは封緘紙の接着性を阻害する。
【０００５】
本発明の課題は、紙容器において、容器本体の開口部への封緘紙の接着性を向上することにある。
【課題を解決するための手段】
【０００６】
請求項１の発明は、容器本体の開口部を封緘紙で密封した紙容器であって、容器本体の外周のうち、開口部の側の外周の全周をニスが付与されないニス非付与部とし、封緘紙の周縁を上記ニス非付与部に接着したものである。
【発明を実施するための最良の形態】
【０００７】
粉体洗剤用紙容器１０は、図１に示す如く、容器本体１１と蓋１２と封緘紙１３とからなる。
【０００８】
容器本体１１は、紙だけ、もしくは紙を主材料としてプラスチックフィルムをラミネートされた素材を折り曲げて組立てたものであり、正面板１１Ａ、背面板１１Ｂ（不図示）、両側板１１Ｃ、１１Ｃ、底板１１Ｄ（不図示）を有する。
【０００９】
容器本体１１は、正面板１１Ａ、背面板１１Ｂ、両側板１１Ｃ、１１Ｃの上端部により開口部１１Ｅを囲み形成し、正面板１１Ａ、背面板１１Ｂ、両側板１１Ｃ、１１Ｃの開口部１１Ｅの側の縁部である各開口縁部１１Ｆに、実公平2-32567と同様の外側から設けた半切り線を介して折返し片１１Ｇを連設し、この半切り線を開くように折返し片１１Ｇをそれらの正面板１１Ａ、背面板１１Ｂ、両側板１１Ｃ、１１Ｃの内側に折返している。半切り線の深さは、折返し片１１Ｇを折返したときに、半切り線を開くことによって相並ぶ正面板１１Ａ、背面板１１Ｂ、両側板１１Ｃ、１１Ｃの各開口縁部１１Ｆと、それらに対応する折返し片１１Ｇの上端部とが面一をなす平坦面を形成するように、容器本体１１の板厚の2/3〜1/2とすることが好ましい。折返し片１１Ｇは、本実施例では正面板１１Ａ、背面板１１Ｂ、両側板１１Ｃ、１１Ｃの内面に接着するが、必ずしも接着することを要しない。これにより、容器本体１１の正面板１１Ａ、背面板１１Ｂ、両側板１１Ｃ、１１Ｃの各開口縁部１１Ｆと、それらに対応する折返し片１１Ｇの上端部は、図２に示す如く、面一をなして相並ぶ平坦面状縁部（巾ｗ）を形成する。
【００１０】
蓋１２は、紙だけ、もしくは紙を主材料としてプラスチックフィルムをラミネートされた素材を折り曲げて組立てたものであり、前板１２Ａ、後板１２Ｂ（不図示）、両側板１２Ｃ、１２Ｃ、天板１２Ｄを有する。蓋１２は、前板１２Ａにつまみ部１２Ｅを備え、後板１２Ｂにヒンジ結合部１２Ｆ（不図示）を備える。
【００１１】
紙容器１０は、容器本体１１の背面板１１Ｂに蓋１２のヒンジ結合部１２Ｆをヒンジ結合して構成される。このとき、紙容器１０は、容器本体１１の開口部１１Ｅを封緘紙１３で密封し、内容物の粉体洗剤を流通保管段階で密封可能にする。
【００１２】
紙容器１０は、図３に示す如く、容器本体１１の正面板１１Ａ、背面板１１Ｂ、両側板１１Ｃ、１１Ｃが構成する外周の概ね全部を印刷部２１とするものの、開口部１１Ｅの側の外周についてはその全周を一定巾のニス非付与部２２（巾ｈ）とする。印刷部２１では、正面板１１Ａ、背面板１１Ｂ、両側板１１Ｃ、１１Ｃの外面に印刷を施し、更には、この印刷に光沢や艶消し等のデザイン性を付与したり、この印刷の表面に耐磨耗性を付与するための表面加工として、印刷表面に無色透明又は半透明のｏｐニス等のニスを施す。ニス非付与部２２では、印刷及びニスが施されない。
【００１３】
但し、本発明では、ニス非付与部２２に、印刷は施し、ニスは施さないものとしても良い。
【００１４】
紙容器１０は、容器本体１１の開口部１１Ｅに被した封緘紙１３の四角枠状接着部１３Ａを、容器本体１１の正面板１１Ａ、背面板１１Ｂ、両側板１１Ｃ、１１Ｃの各開口縁部１１Ｆと、それらに対応する折返し片１１Ｇの上端部とが形成する巾ｗの平坦面状縁部に接着するとともに、封緘紙１３の接着部１３Ａより外周側の周縁であって容器本体１１の各開口縁部１１Ｆの周囲に突出する周縁に定めた接着部１３Ｂを、容器本体１１の正面板１１Ａ、背面板１１Ｂ、両側板１１Ｃ、１１Ｃに設けたニス非付与部２２に接着する。
【００１５】
紙容器１０の製造手順は例えば以下の如くである（図４）。
(1)容器本体１１の各開口縁部１１Ｆと、折返し片１１Ｇの上端部が形成する平坦面状縁部（巾ｗ）と、容器本体１１のニス非付与部２２（巾ｈ）のそれぞれに接着剤を塗布する。接着剤としては、例えば水性エマルジョン系接着剤を使用できる。
【００１６】
(2)封緘紙１３における、容器本体１１への接着剤塗布箇所に対応する箇所（接着部１３Ａ、１３Ｂ）に、容器本体１１への接着剤塗布巾より広い巾で接着剤を塗布する。接着剤としては、例えば水性エマルジョン系接着剤を使用できる。
【００１７】
(3)封緘紙１３の接着部１３Ａを、容器本体１１の各開口縁部１１Ｆと、折返し片１１Ｇの上端部が形成する平坦面状縁部に位置合せして被せる。
【００１８】
(4)蓋１２を封緘紙１３の上から容器本体１１の正面板１１Ａ、背面板１１Ｂ、両側板１１Ｃ、１１Ｃが構成する外周に嵌着する。このとき、蓋１２の前板１２Ａ、後板１２Ｂ、両側板１２Ｃ、１２Ｃにより、容器本体１１の各開口縁部１１Ｆの周囲に突出した封緘紙１３の周縁を、容器本体１１の正面板１１Ａ、背面板１１Ｂ、両側板１１Ｃ、１１Ｃの外面に向けて折り込む。そして、蓋１２の天板１２Ｄに加える圧力により、封緘紙１３の接着部１３Ａを容器本体１１の各開口縁部１１Ｆと、折返し片１１Ｇの上端部が形成する平坦面状縁部に圧着するとともに、蓋１２の前板１２Ａ、後板１２Ｂ、両側板１２Ｃ、１２Ｃに加える圧力により、封緘紙１３の接着部１３Ｂを容器本体１１のニス非付与部２２に圧着する。
【００１９】
尚、封緘紙１３は、蓋１２に積極的に加える外的圧力により容器本体１１の側に接着されるものに限らず、蓋１２を容器本体１１に嵌着すると同時に容器本体１１の側に接着されるものであっても良い。
【００２０】
(5)蓋１２の前後のつまみ部１２Ｅとヒンジ結合部１２Ｆが、容器本体１１の正面板１１Ａ、背面板１１Ｂのそれぞれに接着される。
【００２１】
本実施例によれば、以下の作用効果を奏する。
（請求項１）
ａ  封緘紙１３が接着される容器本体１１の開口部１１Ｅの側の外周の全周がニス非付与部２２とされる。ニス非付与部２２は、容器本体１１の外周の全周に一定の広巾ｈ（例えば5mm巾）をなして延在し、封緘紙１３を確実に接着するに必要十分な接着面積を提供する。これにより、封緘紙１３により、容器本体１１の開口部１１Ｅを簡易にして確実に密封可能として、併せて洗剤等の内容物の防湿性を向上する。
【００２２】
（請求項２）
ｂ  容器本体１１の上述ａのニス非付与部２２が、印刷及びニスを付与されないことにより、容器本体１１の他の部分がいか様に印刷及びニスを付与されていても、封緘紙１３をそのニス非付与部２２に確実に接着できる。
【００２３】
（請求項３）
ｃ  容器本体１１の開口部１１Ｅの側の縁部１１Ｆに、外側から設けた半切り線を介して折返し片１１Ｇを連設し、折返し片１１Ｇを容器本体１１の内側に折返した。容器本体１１と折返し片１１Ｇの上端部は、面一をなして相並ぶ平坦面状縁部を形成するものになり、容器本体１１の開口部１１Ｅの側の縁部１１Ｆが単に折返された丸味状縁部を形成する場合に比して、封緘紙１３をその平坦面状縁部にも安定的に接着できる。この平坦面状縁部は、比較的狭巾ｗ（例えば1.4mm）であり、広巾化により封緘紙１３の接着面積の拡大を図ることは困難であるものの、前述ａのニス非付与部２２の存在に相伴うことにより、封緘紙１３による密封性を一層向上可能にする。
【図面の簡単な説明】
【００２４】
【図１】図１は紙容器の開蓋状態を示す模式斜視図である。
【図２】図２は紙容器の要部を示す模式断面図である。
【図３】図３は紙容器の容器本体を示す模式斜視図である。
【図４】図４は紙容器の製造手順を示す工程図である。
【符号の説明】
【００２５】
１０  紙容器
１１  容器本体
１１Ｂ  開口部
１１Ｆ  開口縁部
１１Ｇ  折返し片
１３  封緘紙
２２  ニス非付与部
【図１】
2005263234.tif 000003
【図２】
2005263234.tif 000004
【図３】
2005263234.tif 000005
【図４】
2005263234.tif 000006